(57)【要約】【課題】  操作キーの少ない操作回数によりユーザが所望する再生速度に切り換えて映像音声データを早送り再生、早戻し再生することができ、映像音声データの読み取りエラーが発生したとき、再生速度を変更して早送り再生、早戻し再生を継続することができるようにする。【解決手段】  映像音声データの早送り／早戻し再生速度の各段階の設定値を設定し、映像音声データの再生中に、早送り／早戻し再生が指令されたとき、早送り／早戻し再生速度の設定値の第１段階の早送り／早戻し再生速度で映像音声データを早送り／早戻し再生し、映像音声データの早送り／早戻し再生中に、早送り／早戻し再生が指令されたとき、映像音声データの早送り／早戻し再生中の再生速度が早送り／早戻し再生速度の設定値の最終段階の早送り／早戻し再生速度であるか否かを判別して、その判別結果に基づいて早戻し／早戻し再生速度の設定値を切り換えて映像音声データを早送り／早戻し再生するようにする。【選択図】        図３
2007123965.tif 000002
【特許請求の範囲】
【請求項１】
記録媒体に記録された映像音声データを再生する再生装置であって、
映像音声データの早送り／早戻し再生速度の各段階の設定値を入力する入力手段と、前記入力手段により入力された早送り／早戻し再生速度の各段階の設定値を記憶する記憶手段と、映像音声データの早送り／早戻し再生を指令する早送り／早戻し再生指令手段と、映像音声データの再生中に、前記早送り／早戻し再生指令手段により早送り／早戻し再生が指令されたとき、前記記憶手段に記憶されている早送り／早戻し再生速度の設定値の第１段階の早送り／早戻し再生速度で映像音声データを早送り／早戻し再生する第１の再生手段と、映像音声データの早送り／早戻し再生中に、前記早送り／早戻し再生指令手段により早送り／早戻し再生が指令されたとき、映像音声データの早送り／早戻し再生中の再生速度が前記記憶手段に記憶されている早送り／早戻し再生速度の設定値の最終段階の早送り／早戻し再生速度であるか否かを判別する判別手段と、前記判別手段により映像音声データの早送り／早戻し再生中の再生速度が前記記憶手段に記憶されている早送り／早戻し再生速度の設定値の最終段階の早送り／早戻し再生速度でないと判別された場合、前記記憶手段に記憶されている早送り／早戻し再生速度の設定値の次段階の早送り／早戻し再生速度に切り換えて、映像音声データを早送り／早戻し再生し、前記判別手段により映像音声データの早送り／早戻し再生中の再生速度が前記記憶手段に記憶されている早送り／早戻し再生速度の設定値の最終段階の早送り／早戻し再生速度であると判別された場合、前記記憶手段に記憶されている早送り／早戻し再生速度の設定値の第１段階の早送り／早戻し再生速度に戻して、映像音声データを早送り／早戻し再生する第２再生手段と、映像音声データの早送り／早戻し再生中に、映像音声データの読み取りエラーが発生した場合、映像音声データの読み取りをリトライするリトライ手段と、前記リトライ手段により映像音声データの読み取りが所定回数リトライされても、映像音声データの読み取りエラーの発生が解消されない場合、早送り／早戻し再生速度を設定値より１段遅い早送り／早戻し再生速度に下げて、映像音声データを早送り／早戻し再生する第３の再生手段とを備えたことを特徴とする再生装置。
【請求項２】
記録媒体に記録された映像音声データを再生する再生装置であって、
映像音声データの早送り／早戻し再生速度の各段階の設定値を入力する入力手段と、前記入力手段により入力された早送り／早戻し再生速度の各段階の設定値を記憶する記憶手段と、映像音声データの早送り／早戻し再生を指令する早送り／早戻し再生指令手段と、映像音声データの再生中に、前記早送り／早戻し再生指令手段により早送り／早戻し再生が指令されたとき、前記記憶手段に記憶されている早送り／早戻し再生速度の設定値の第１段階の早送り／早戻し再生速度で映像音声データを早送り／早戻し再生する第１の再生手段と、映像音声データの早送り／早戻し再生中に、前記早送り／早戻し再生指令手段により早送り／早戻し再生が指令されたとき、映像音声データの早送り／早戻し再生中の再生速度が前記記憶手段に記憶されている早送り／早戻し再生速度の設定値の最終段階の早送り／早戻し再生速度であるか否かを判別する判別手段と、前記判別手段の判別結果に基づいて前記記憶手段に記憶されている早戻し／早戻し再生速度の設定値を切り換えて映像音声データを早送り／早戻し再生する第２再生手段とを備えたことを特徴とする再生装置。
【請求項３】
前記第２の再生手段は、前記判別手段により映像音声データの早送り／早戻し再生中の再生速度が前記記憶手段に記憶されている早送り／早戻し再生速度の設定値の最終段階の早送り／早戻し再生速度でないと判別された場合、前記記憶手段に記憶されている早送り／早戻し再生速度の設定値の次段階の早送り／早戻し再生速度に切り換えて、映像音声データを早送り／早戻し再生する再生手段であることを特徴とする請求項２記載の再生装置。
【請求項４】
前記第２の再生手段は、前記判別手段により映像音声データの早送り／早戻し再生中の再生速度が前記記憶手段に記憶されている早送り／早戻し再生速度の設定値の最終段階の早送り／早戻し再生速度であると判別された場合、前記記憶手段に記憶されている早送り／早戻し再生速度の設定値の第１段階の早送り／早戻し再生速度に戻して、映像音声データを早送り／早戻し再生する再生手段であることを特徴とする請求項２記載の再生装置。
【請求項５】
映像音声データの早送り／早戻し再生中に、映像音声データの読み取りエラーが発生した場合、映像音声データの読み取りをリトライするリトライ手段と、前記リトライ手段により映像音声データの読み取りが所定回数リトライされても、映像音声データの読み取りエラーの発生が解消されない場合、早送り／早戻し再生速度を設定値より１段遅い早送り／早戻し再生速度に下げて、映像音声データを早送り／早戻し再生する第３の再生手段とを更に備えたことを特徴とする請求項２記載の再生装置。
【発明の詳細な説明】
【技術分野】
【０００１】
本発明は、記録媒体に記録された映像音声データを再生する再生装置に係り、特に記録媒体に記録された映像音声データをユーザが所望する再生速度で早送り再生、早戻し再生することができる再生装置に関する。
【背景技術】
【０００２】
一般に、光ディスクやハードディスク等の記録媒体に記録された映像音声データを再生する再生装置は、記録媒体に記録された映像音声データの再生中に、早送り再生キーを操作することにより、再生中の映像音声データを早送り再生することができるようになっている。また、記録媒体に記録された映像音声データの再生中に、早戻し再生キーを操作することにより、再生中の映像音声データを早戻し再生することができるようになっている。しかし、早送り再生速度、早戻し再生速度が予め設定されて固定されていて、早送り再生速度、早戻し再生速度を変更することができないため、ユーザが所望する再生速度で記録媒体に記録された映像音声データを早送り再生、或いは、早戻し再生することができないという問題点があり、ユーザが所望する早送り再生速度、或いは、早戻し再生速度を選択する場合、映像音声データの早送り再生速度、或いは、早戻し再生速度を選択する操作キーを数回操作しなければならないという煩わしい問題点があった。また、記録媒体に記録された映像音声データの早送り再生、或いは、早戻し再生中に、光ディスクの面振れや偏心等の何らかの原因により記録媒体に記録された映像音声データの読み取りエラーが発生したとき、記録媒体に記録された映像音声データの早送り再生、或いは、早戻し再生が停止されるため、ユーザが早送り再生速度、或いは、早戻し再生速度を変更して、記録媒体に記録された映像音声データを早送り再生、或いは、早戻し再生しなければならないという問題点があった。
背景技術としては、動画像データの再生中に、画面に表示された再生キーがクリックされたとき、再生速度を変更するスライダバーを画面に表示し、画面に表示されたスライダバーをドラッグすることにより動画像データの再生速度を連続的に変更するようにしたものがあった（例えば、特許文献１参照）。
また、動画像データの早送り再生、早戻し再生時の画面変化の時間間隔を規定する設定値をメモリに記憶して、メモリに記憶された設定値に基づいて動画像データの早送り再生、早戻し再生時の画面変化の時間間隔を任意に設定するようにしたものがあった（例えば、特許文献２参照）。
また、早送り再生キー又は早戻し再生キーが操作されたとき、早送り再生又は早戻し再生し、早送り再生キー又は早戻し再生キーが２回連続して操作されたとき、早送り再生又は早戻し再生の再生速度を早送り再生キー又は早戻し再生キーの操作時間間隔に対応した再生速度で早送り再生又は早戻し再生するようにしたものがあった（例えば、特許文献３参照）。
また、早送り再生、早戻し再生時の画面変化の時間間隔と画面変化毎に表示される静止画の表示時間とを入力して、入力された設定値に基づいて動画像データの早送り再生、早戻し再生時の画面変化の時間間隔と画面変化毎に表示される静止画の表示時間とを制御するようにしたものがあった（例えば、特許文献４参照）。
【特許文献１】特開２００２−３３５４７２号公報
【特許文献２】特開平９−２６１５７６号公報
【特許文献３】特開２００５−５７３８０号公報
【特許文献４】特開２００２−２８１４５５号公報
【発明の開示】
【発明が解決しようとする課題】
【０００３】
しかしながら、背景技術で述べたもののうち最初のものにおいては、動画像データの再生中に、画面に表示された再生キーがクリックされたとき、再生速度を変更するスライダバーを画面に表示して、画面に表示されたスライダバーをドラッグすることにより動画像データの再生速度を連続的に変更することができたが、動画像データの再生中に、再生中の動画像の再生速度を変更する場合に、再生中の動画像が表示されている画面に再生速度を変更するスライダバーがウインドウ表示されるため、視聴中の動画像の一部が表示されなくなるという問題点があった。
また、次のものにおいては、動画像データの早送り再生、早戻し再生時の画面変化の時間間隔を規定する設定値をメモリに記憶して、メモリに記憶された設定値に基づいて動画像データの早送り再生、早戻し再生時の画面変化の時間間隔を任意に設定することができたが、動画像データの早送り再生、或いは、早戻し再生中に、再生中の動画像データの早送り再生速度、或いは、早戻し再生速度を変更する場合、その都度、再生中の動画像データの再生を停止して、動画像データの早送り再生速度、或いは、早戻し再生速度を再設定しなければならないという問題点があった。
また、更にその次のものにおいては、早送り再生キー又は早戻し再生キーが操作されたとき、早送り再生又は早戻し再生し、早送り再生キー又は早戻し再生キーが２回連続して操作されたとき、早送り再生又は早戻し再生の再生速度を早送り再生キー又は早戻し再生キーの操作時間間隔に対応した再生速度で早送り再生又は早戻し再生することができたが、早送り再生速度、或いは、早戻し再生の再生速度を変更する場合、早送り再生キー又は早戻し再生キーの連続した操作を数回繰り返して所望の再生速度に変更しなければならないという問題点があった。
また、更にその次のものにおいては、早送り再生、早戻し再生時の画面変化の時間間隔と画面変化毎に表示される静止画の表示時間とを入力して、入力された設定値に基づいて動画像データの早送り再生、早戻し再生時の画面変化の時間間隔と画面変化毎に表示される静止画の表示時間とを制御することができたが、早送り再生、早戻し再生時の画面変化の時間間隔と画面変化毎に表示される静止画の表示時間とを設定して、設定された画面変化の時間間隔離れた位置の静止画を取り出し、取り出された静止画を設定された静止画の表示時間表示するようにしたものであって、上記問題点を解決するようにしたものではなかった。
本発明は、背景技術の有するこのような問題点に鑑みてなされたものであり、その目的とするところは、操作キーの少ない操作回数によりユーザが所望する再生速度を選択して映像音声データを早送り再生、早戻し再生することができ、映像音声データの読み取りエラーが発生したとき、早送り再生速度、早戻し再生速度を変更して、早送り再生、早戻し再生を継続することができる再生装置を提供しようとするものである。
【課題を解決するための手段】
【０００４】
上記目的を達成するため本発明においては、記録媒体に記録された映像音声データを再生する再生装置であって、映像音声データの早送り／早戻し再生速度の各段階の設定値を入力する入力手段と、前記入力手段により入力された早送り／早戻し再生速度の各段階の設定値を記憶する記憶手段と、映像音声データの早送り／早戻し再生を指令する早送り／早戻し再生指令手段と、映像音声データの再生中に、前記早送り／早戻し再生指令手段により早送り／早戻し再生が指令されたとき、前記記憶手段に記憶されている早送り／早戻し再生速度の設定値の第１段階の早送り／早戻し再生速度で映像音声データを早送り／早戻し再生する第１の再生手段と、映像音声データの早送り／早戻し再生中に、前記早送り／早戻し再生指令手段により早送り／早戻し再生が指令されたとき、映像音声データの早送り／早戻し再生中の再生速度が前記記憶手段に記憶されている早送り／早戻し再生速度の設定値の最終段階の早送り／早戻し再生速度であるか否かを判別する判別手段と、前記判別手段の判別結果に基づいて前記記憶手段に記憶されている早戻し／早戻し再生速度の設定値を切り換えて映像音声データを早送り／早戻し再生する第２再生手段とを備える。
前記第２の再生手段は、前記判別手段により映像音声データの早送り／早戻し再生中の再生速度が前記記憶手段に記憶されている早送り／早戻し再生速度の設定値の最終段階の早送り／早戻し再生速度でないと判別された場合、前記記憶手段に記憶されている早送り／早戻し再生速度の設定値の次段階の早送り／早戻し再生速度に切り換えて、映像音声データを早送り／早戻し再生するようにするとよい。
また、前記第２の再生手段は、前記判別手段により映像音声データの早送り／早戻し再生中の再生速度が前記記憶手段に記憶されている早送り／早戻し再生速度の設定値の最終段階の早送り／早戻し再生速度であると判別された場合、前記記憶手段に記憶されている早送り／早戻し再生速度の設定値の第１段階の早送り／早戻し再生速度に戻して、映像音声データを早送り／早戻し再生するようにするとよい。
更に、映像音声データの早送り／早戻し再生中に、映像音声データの読み取りエラーが発生した場合、映像音声データの読み取りをリトライするリトライ手段と、前記リトライ手段により映像音声データの読み取りが所定回数リトライされても、映像音声データの読み取りエラーの発生が解消されない場合、早送り／早戻し再生速度を設定値より１段遅い早送り／早戻し再生速度に下げて、映像音声データを早送り／早戻し再生する第３の再生手段とを備える。
これらの手段により、操作キーの少ない操作回数によりユーザが所望する再生速度を選択して映像音声データを早送り再生、早戻し再生することができ、映像音声データの読み取りエラーが発生したとき、早送り再生速度、早戻し再生速度を変更して、早送り再生、早戻し再生を継続することができる。
【発明の効果】
【０００５】
請求項１記載の発明に係る再生装置によれば、映像音声データの早送り／早戻し再生速度の各段階の設定値を入力し、入力された早送り／早戻し再生速度の各段階の設定値を記憶して、映像音声データの再生中に、早送り／早戻し再生が指令されたとき、記憶されている早送り／早戻し再生速度の設定値の第１段階の早送り／早戻し再生速度で映像音声データを早送り／早戻し再生し、映像音声データの早送り／早戻し再生中に、早送り／早戻し再生が指令されたとき、映像音声データの早送り／早戻し再生中の再生速度が記憶されている早送り／早戻し再生速度の設定値の最終段階の早送り／早戻し再生速度であるか否かを判別して、映像音声データの早送り／早戻し再生中の再生速度が記憶されている早送り／早戻し再生速度の設定値の最終段階の早送り／早戻し再生速度でない場合、記憶されている早送り／早戻し再生速度の設定値の次段階の早送り／早戻し再生速度に切り換えて、映像音声データを早送り／早戻し再生し、映像音声データの早送り／早戻し再生中の再生速度が記憶されている早送り／早戻し再生速度の設定値の最終段階の早送り／早戻し再生速度である場合、記憶されている早送り／早戻し再生速度の設定値の第１段階の早送り／早戻し再生速度に戻して、映像音声データを早送り／早戻し再生し、映像音声データの早送り／早戻し再生中に、映像音声データの読み取りエラーが発生した場合、映像音声データの読み取りをリトライして、映像音声データの読み取りが所定回数リトライされても、映像音声データの読み取りエラーの発生が解消されない場合、早送り／早戻し再生速度を設定値より１段遅い早送り／早戻し再生速度に下げて、映像音声データを早送り／早戻し再生するようにしているので、操作キーの少ない操作回数によりユーザが所望する再生速度を選択して映像音声データを早送り再生、早戻し再生することができ、映像音声データの読み取りエラーが発生したとき、早送り再生速度、早戻し再生速度を変更して、早送り再生、早戻し再生を継続することができる。
請求項２記載の発明に係る再生装置によれば、映像音声データの早送り／早戻し再生速度の各段階の設定値を入力し、入力された早送り／早戻し再生速度の各段階の設定値を記憶して、映像音声データの再生中に、早送り／早戻し再生が指令されたとき、記憶されている早送り／早戻し再生速度の設定値の第１段階の早送り／早戻し再生速度で映像音声データを早送り／早戻し再生し、映像音声データの早送り／早戻し再生中に、早送り／早戻し再生が指令されたとき、映像音声データの早送り／早戻し再生中の再生速度が記憶されている早送り／早戻し再生速度の設定値の最終段階の早送り／早戻し再生速度であるか否かを判別して、その判別結果に基づいて記憶されている早戻し／早戻し再生速度の設定値を切り換えて映像音声データを早送り／早戻し再生するようにしているので、操作キーの少ない操作回数によりユーザが所望する早送り再生速度、早戻し再生速度を選択して映像音声データを早送り再生、早戻し再生することができる。
請求項３記載の発明に係る再生装置によれば、映像音声データの早送り／早戻し再生中の再生速度が記憶されている早送り／早戻し再生速度の設定値の最終段階の早送り／早戻し再生速度である場合、記憶されている早送り／早戻し再生速度の設定値の第１段階の早送り／早戻し再生速度に戻して、映像音声データを早送り／早戻し再生するようにしているので、操作キーの少ない操作回数によりユーザが所望する再生速度を選択して映像音声データを早送り再生、早戻し再生することができる。
請求項４記載の発明に係る再生装置によれば、映像音声データの早送り／早戻し再生中の再生速度が記憶されている早送り／早戻し再生速度の設定値の最終段階の早送り／早戻し再生速度である場合、記憶されている早送り／早戻し再生速度の設定値の第１段階の早送り／早戻し再生速度に戻して、映像音声データを早送り／早戻し再生するようにしているので、操作キーの少ない操作回数によりユーザが所望する再生速度を選択して映像音声データを早送り再生、早戻し再生することができる。
請求項５記載の発明に係る再生装置によれば、映像音声データの早送り／早戻し再生中に、映像音声データの読み取りエラーが発生した場合、映像音声データの読み取りをリトライし、映像音声データの読み取りが所定回数リトライされても、映像音声データの読み取りエラーの発生が解消されない場合、早送り／早戻し再生速度を設定値より１段遅い早送り／早戻し再生速度に下げて、映像音声データを早送り／早戻し再生するようにしているので、映像音声データの読み取りエラーが発生したとき、再生速度を変更して早送り再生、早戻し再生を継続することができる。
【発明を実施するための最良の形態】
【０００６】
以下、適宜図面を参照しながら本発明を実施するための最良の形態を詳述する。図１は本発明の一実施例の再生装置の構成を示すブロック図であり、図２は本発明の一実施例の再生装置のリモコン装置を示す説明図であり、図３は本発明の一実施例の再生装置の早送り再生／早戻し再生の再生速度の設定画面の表示例を示す図であり、図４は本発明の一実施例の再生装置の早送り／早戻し再生速度の設定動作を示すフローチャートであり、図５は本発明の一実施例の再生装置の早送り再生動作を示すフローチャートであり、図６は本発明の一実施例の再生装置の早戻し再生動作を示すフローチャートである。
まず、図１の本発明の一実施例の再生装置の構成を示すブロック図を基に説明する。
再生装置１は、光ディスク２にレーザ光を照射してその反射光を検出し、光ディスク２に記録されている映像音声データを読み出す光ピックアップ３と、光ディスク２を回転させるスピンドルモータ４と、光ピックアップ３を光ディスク２の半径方向にスレッド移動させるスレッドモータ５と、スピンドルモータ４の回転速度とスレッドモータ５の回転方向、回転速度とをサーボ制御し、光ピックアップ３により検出されたトラッキング誤差信号、フォーカス誤差信号に基づいて光ピックアップ３のトラッキング、フォーカスをサーボ制御するサーボ回路６と、光ピックアップ３により読み出された映像音声データのＲＦ（Ｒａｄｉｏ  Ｆｒｅｑｕｅｎｃｙ）信号を増幅するＲＦ増幅回路７と、ＲＦ増幅回路７により増幅された映像音声データのＲＦ信号を基準クロックに基づいて同期検出して復調し、復調された映像音声データの誤りを訂正して、所定の圧縮方式に基づいて圧縮された映像音声データを伸張し、伸張された映像音声データを復号して映像音声信号を再生する信号処理回路８と、文字情報信号を映像信号に重畳して、文字情報をモニタ装置３０の画面に表示するＯＳＤ（Ｏｎ−Ｓｃｒｅｅｎ  Ｃｈａｒａｃｔｅｒ  Ｄｉｓｐｌａｙ）回路９と、再生装置１のシステム全体を制御するマイコン１０と、映像音声データの早送り再生、早戻し再生の再生速度の設定値等を記憶する不揮発性メモリのフラッシュＲＯＭ（Ｒｅａｄ−Ｏｎｌｙ  Ｍｅｍｏｒｙ）１１と、リモコン装置２０から送信された赤外線信号のリモコン信号を受信して、所定の電気信号に変換するリモコン受信部１２とで構成されている。
また、リモコン装置２０には、図２に示すように、再生装置１の各種動作の設定項目の設定値を設定するメニュ画面の表示を指令するメニュキー２０ａ、メニュ画面の選択項目を選択するカーソルキー２０ｂ、カーソルキーにより選択された選択項目の選択を決定する決定キー２０ｃ、早送り再生の再生速度、早戻し再生の再生速度等の数値を入力する数字キー２０ｄ、光ディスクに記録された映像音声データの再生を指令する再生キー２０ｅ、光ディスクに記録された映像音声データの再生中の映像音声データの早送り再生を指令する早送り再生キー２０ｆ、光ディスクに記録された映像音声データの再生中の映像音声データの早戻し再生を指令する早戻し再生キー２０ｇ等の複数の操作キーが設けられていて、それらの操作キーを操作することにより再生装置１を所望動作させることができるようになっている。
以上のように構成された再生装置について、以下その動作について説明する。
リモコン装置２０のメニュキー２０ａが押下されると、マイコン１０は、ＯＳＤ回路９に文字情報信号と制御信号とを送出して、再生装置１の各種動作機能を設定するメニュ画面をモニタ装置３０の画面に表示する（図示せず）。リモコン装置２０のカーソルキー２０ｂと決定キー２０ｃとの操作によりメニュ画面の早送り／早戻し再生速度の設定が選択されると、マイコン１０は、ＯＳＤ回路９に文字情報信号と制御信号とを送出して、早送り／早戻し再生速度の設定画面をモニタ装置３０の画面３０ａに表示し、光ディスク別の早送り再生速度又は早戻し再生速度の設定の選択位置を示すカーソルＡをモニタ装置３０の画面３０ａに表示する（図３（ａ）参照）。
リモコン装置２０のカーソルキー２０ｂと決定キー２０ｃとの操作により、モニタ装置３０の画面３０ａに表示された早送り／早戻し再生速度の設定画面のカーソルＡの位置の光ディスクの早送り再生速度又は早戻し再生速度の設定が選択されると、マイコン１０は、ＯＳＤ回路９に文字情報信号と制御信号とを送出して、選択された光ディスクの早送り再生速度又は早戻し再生速度を設定する早送り再生速度又は早戻し再生速度の設定画面をモニタ装置３０の画面３０ａに表示する（図３（ｂ）参照）。
リモコン装置２０の数字キー２０ｄの押下により、選択された光ディスクの早送り再生速度又は早戻し再生速度のユーザが所望する再生速度の各段階の設定値が入力され、リモコン装置２０のカーソルキー２０ｂと決定キー２０ｃとの操作により、入力された早送り再生速度又は早戻し再生速度の各段階の設定値の設定が選択されると、マイコン１０は、入力された早送り再生速度又は早戻し再生速度の各段階の設定値をフラッシュＲＯＭ１１に記憶し、ＯＳＤ回路９に文字情報信号と制御信号とを送出して、モニタ装置３０の画面３０ａの表示を早送り／早戻し再生速度の設定画面の表示に戻す（図３（ａ）参照）。早送り再生速度の各段階の設定値を、例えば、２倍速、１００倍速、３２倍速、８倍速、４倍速に設定する場合、早送り再生速度に対応した数値１、６、５、３、２を入力して設定する（図３（ｂ）参照）。同様にして、早戻し再生速度の各段階の設定値を、例えば、２倍速、３２倍速、１６倍速、８倍速、４倍速に設定する場合、早戻し再生速度に対応した数値１、５、４、３、２を入力して設定する。
リモコン装置２０の再生キー２０ｅが押下されると、マイコン１０は、サーボ回路６に制御信号を送出して、スピンドルモータ４を駆動して光ディスク２を回転させ、スレッドモータ５を駆動して光ピックアップ３を光ディスク２の半径方向にスレッド移動させ、光ピックアップ３のトラッキングとフォーカスとをサーボ制御して、光ピックアップ３により光ディスク２に記録された映像音声データを読み出して映像音声データを再生する。
映像音声データの再生中に、リモコン装置２０の早送り再生キー２０ｆが押下されると、マイコン１０は、制御信号をサーボ回路６に送出して、フラッシュＲＯＭ１１に記憶されている早送り再生速度の設定値の第１段階の早送り再生速度で映像音声データを早送り再生する。
映像音声データの早送り再生中に、リモコン装置２０の早送り再生キー２０ｆが押下されると、マイコン１０は、映像音声データの早送り再生中の再生速度がフラッシュＲＯＭ１１に記憶されている早送り再生速度の設定値の最終段階の早送り再生速度であるか否かを判別して、映像音声データの早送り再生中の再生速度が設定値の最終段階の早送り再生速度でない場合、制御信号をサーボ回路６に送出して、早送り再生速度をフラッシュＲＯＭ１１に記憶されている設定値の次段階の早送り再生速度に切り換えて映像音声データを早送り再生する。また、映像音声データの早送り再生中の再生速度が設定値の最終段階の早送り再生速度である場合、マイコン１０は、制御信号をサーボ回路６に送出して、早送り再生速度をフラッシュＲＯＭ１１に記憶されている設定値の第１段階の早送り再生速度に戻して映像音声データを早送り再生する。
映像音声データの早送り再生中に、映像音声データの読み取りエラーが発生した場合、マイコン１０は、制御信号をサーボ回路６に送出して、光ピックアップ３により光ディスク２に記録された映像音声データの読み取りをリトライし、映像音声データの読み取りを所定回数、例えば、３回リトライしても、映像音声データの読み取りエラーの発生が解消されない場合、制御信号をサーボ回路６に送出して、早送り再生速度を設定値より１段遅い早送り再生速度、例えば、早送り再生速度が１００倍速である場合、設定値より１段遅い３２倍速の早送り再生速度に下げ、光ディスク２に記録された映像音声データの早送り再生を継続する。また、映像音声データの早送り再生中に、リモコン装置２０の早送り再生キー２０ｆ以外の操作キーが押下された場合、マイコン１０は、制御信号をサーボ回路６に送出して、映像音声データの早送り再生を終了し、光ディスク２に記録された映像音声データの通常再生に移行する。
また、映像音声データの再生中に、リモコン装置２０の早戻し再生キー２０ｇが押下されると、マイコン１０は、制御信号をサーボ回路６に送出して、フラッシュＲＯＭ１１に記憶されている早戻し再生速度の設定値の第１段階の早戻し再生速度で映像音声データを早戻し再生する。
映像音声データの早送り再生中に、リモコン装置２０の早戻し再生キー２０ｇが押下されると、マイコン１０は、映像音声データの早戻し再生中の再生速度がフラッシュＲＯＭ１１に記憶されている早戻し再生速度の設定値の最終段階の早戻し再生速度であるか否かを判別して、映像音声データの早戻し再生中の再生速度が設定値の最終段階の早戻し再生速度でない場合、制御信号をサーボ回路６に送出して、早戻し再生速度をフラッシュＲＯＭ１１に記憶されている設定値の次段階の早戻し再生速度に切り換えて映像音声データを早戻し再生する。また、映像音声データの早戻し再生中の再生速度が設定値の最終段階の早戻し再生速度である場合、マイコン１０は、制御信号をサーボ回路６に送出して、早戻し再生速度をフラッシュＲＯＭ１１に記憶されている設定値の第１段階の早戻し再生速度に戻して映像音声データを早送り再生する。
映像音声データの早戻し再生中に、映像音声データの読み取りエラーが発生した場合、マイコン１０は、制御信号をサーボ回路６に送出して、光ピックアップ３により光ディスク２に記録された映像音声データの読み取りをリトライし、映像音声データの読み取りを所定回数、例えば、３回リトライしても、映像音声データの読み取りエラーの発生が解消されない場合、制御信号をサーボ回路６に送出して、早戻し再生速度を設定値より１段遅い早戻し再生速度、例えば、早戻し再生速度が３２倍速である場合、設定値より１段遅い１６倍速の早戻し再生速度に下げ、光ディスク２に記録された映像音声データの早戻し再生を継続する。また、映像音声データの早戻し再生中に、リモコン装置２０の早戻し再生キー２０ｆ以外の操作キーが押下された場合、マイコン１０は、制御信号をサーボ回路６に送出して、映像音声データの早戻し再生を終了し、光ディスク２に記録された映像音声データの通常再生に移行する。
また、図４の本発明の一実施例の再生装置の早送り／早戻し再生速度の設定動作を示すフローチャートを基に説明する。
メニュ画面の早送り／早戻し再生速度の設定が選択されると、ステップＳ１からステップＳ２に進み、ステップＳ２で、早送り／早戻し再生速度の設定画面がモニタ装置の画面に表示され、ステップＳ３に進む。
ステップＳ３で、早送り／早戻し再生速度の設定画面の光ディスク別の早送り再生速度又は早戻し再生速度の設定のいずれかが選択されたか否かが判断され、光ディスク別の早送り再生速度又は早戻し再生速度の設定のいずれかが選択された場合、ステップＳ４に進み、光ディスク別の早送り再生速度又は早戻し再生速度の設定のいずれもが選択されていない場合、ステップＳ１０に進む。
ステップＳ４で、選択された光ディスクの早送り再生速度又は早戻し再生速度を設定する早送り再生速度又は早戻し再生速度の設定画面がモニタ装置の画面に表示されて、ステップＳ５に進む。
ステップＳ５で、選択された光ディスクの早送り再生速度又は早戻し再生速度の設定が取り消されたか否かが判断され、選択された光ディスクの早送り再生速度又は早戻し再生速度の設定が取り消された場合、ステップＳ９に進み、選択された光ディスクの早送り再生速度又は早戻し再生速度の設定が取り消されていない場合、ステップＳ６に進む。
ステップＳ６で、選択された光ディスクの早送り再生速度又は早戻し再生速度の各段階の設定値の入力が終了したか否かが判断され、早送り再生速度又は早戻し再生速度の各段階の設定値の入力が終了した場合、ステップＳ７に進み、早送り再生速度又は早戻し再生速度の各段階の設定値の入力が終了していない場合、ステップＳ５に戻って、ステップＳ５からのステップを繰り返す。
ステップＳ７で、入力された早送り再生速度又は早戻し再生速度の各段階の設定値の設定が選択されたか否かが判断され、入力された早送り再生速度又は早戻し再生速度の各段階の設定値の設定が選択された場合、ステップＳ８に進み、入力された早送り再生速度又は早戻し再生速度の各段階の設定値の設定が選択されていない場合、ステップＳ５に戻って、ステップＳ５からのステップを繰り返す。
ステップＳ８で、入力された早送り再生速度又は早戻し再生速度の各段階の設定値がフラッシュＲＯＭに記憶されて、ステップＳ９に進む。
ステップＳ９で、モニタ装置の画面の表示が早送り／早戻し再生速度の設定画面の表示に戻されて、ステップＳ１０に進む。
ステップＳ１０で、早送り／早戻し再生速度の設定の終了が選択されたか否かが判断され、早送り／早戻し再生速度の設定の終了が選択された場合、ステップＳ１１に進んで処理を終了し、早送り／早戻し再生速度の設定の終了が選択されていない場合、ステップＳ３に戻って、ステップＳ３からのステップを繰り返す。
また、図５の本発明の一実施例の再生装置の早送り再生動作を示すフローチャートを基に説明する。
映像音声データの再生中に、リモコン装置の早送り再生キーが押下されると、ステップＳ２１からステップＳ２２に進み、ステップＳ２２で、設定値の第１段階の早送り再生速度で映像音声データの早送り再生が開始されて、ステップＳ２３に進む。
ステップＳ２３で、リモコン装置の早送り再生キーが押下されたか否かが判断され、リモコン装置の早送り再生キーが押下された場合、ステップＳ２４に進み、リモコン装置の早送り再生キーが押下されていない場合、ステップＳ２７に進む。
ステップＳ２４で、映像音声データの早送り再生中の再生速度が設定値の最終段階の早送り再生速度であるか否かが判断され、映像音声データの早送り再生中の再生速度が設定値の最終段階の早送り再生速度でない場合、ステップＳ２５に進み、映像音声データの早送り再生中の再生速度が設定値の最終段階の早送り再生速度である場合、ステップＳ２６に進む。
ステップＳ２５で、早送り再生速度が設定値の次段階の早送り再生速度に切り換えられて、映像音声データが早送り再生され、ステップＳ２７に進む。
ステップＳ２６で、早送り再生速度が設定値の第１段階の早送り再生速度に戻されて、映像音声データが早送り再生され、ステップＳ２７に進む。
ステップＳ２７で、映像音声データの早送り再生中に、映像音声データの読み取りエラーが発生したか否かが判断され、映像音声データの読み取りエラーが発生した場合、ステップＳ２８に進み、映像音声データの読み取りエラーが発生していない場合、ステップＳ３１に進む。
ステップＳ２８で、光ディスクに記録された映像音声データの読み取りがリトライされて、ステップＳ２９に進む。
ステップＳ２９で、映像音声データの読み取りが所定回数リトライされたか否かが判断され、映像音声データの読み取りが所定回数リトライされた場合、ステップＳ３０に進み、映像音声データの読み取りが所定回数リトライされていない場合、ステップＳ２７に戻って、ステップＳ２７からのステップを繰り返す。
ステップＳ３０で、早送り再生速度が設定値より１段遅い早送り再生速度に下げられて、光ディスクに記録された映像音声データが早送り再生され、ステップＳ３１に進む。
ステップＳ３１で、映像音声データの早送り再生の終了が指令されたか否かが判断され、映像音声データの早送り再生の終了が指令された場合、ステップＳ３２に進んで処理を終了し、映像音声データの早送り再生の終了が指令されていない場合、ステップＳ２３に戻って、ステップＳ２３からのステップを繰り返す。
また、図６の本発明の一実施例の再生装置の早戻し再生動作を示すフローチャートを基に説明する。
映像音声データの再生中に、リモコン装置の早戻し再生キーが押下されると、ステップＳ４１からステップＳ４２に進み、ステップＳ４２で、設定値の第１段階の早戻し再生速度で映像音声データの早戻し再生が開始されて、ステップＳ４３に進む。
ステップＳ４３で、リモコン装置の早戻し再生キーが押下されたか否かが判断され、リモコン装置の早戻し再生キーが押下された場合、ステップＳ４４に進み、リモコン装置の早戻し再生キーが押下されていない場合、ステップＳ４７に進む。
ステップＳ４４で、映像音声データの早戻し再生中の再生速度が設定値の最終段階の早戻し再生速度であるか否かが判断され、映像音声データの早戻し再生中の再生速度が設定値の最終段階の早戻し再生速度でない場合、ステップＳ４５に進み、映像音声データの早戻し再生中の再生速度が設定値の最終段階の早戻し再生速度である場合、ステップＳ４６に進む。
ステップＳ４５で、早戻し再生速度が設定値の次段階の早戻し再生速度に切り換えられて、ステップＳ４７に進む。
ステップＳ４６で、早戻し再生速度が設定値の第１段階の早戻し再生速度に戻されて、映像音声データが早戻し再生され、ステップＳ４７に進む。
ステップＳ４７で、映像音声データの早戻し再生中に、映像音声データの読み取りエラーが発生したか否かが判断され、映像音声データの読み取りエラーが発生した場合、ステップＳ４８に進み、映像音声データの読み取りエラーが発生していない場合、ステップＳ５１に進む。
ステップＳ４８で、光ディスクに記録された映像音声データの読み取りがリトライされて、ステップＳ４９に進む。
ステップＳ４９で、映像音声データの読み取りが所定回数リトライされたか否かが判断され、映像音声データの読み取りが所定回数リトライされた場合、ステップＳ５０に進み、映像音声データの読み取りが所定回数リトライされていない場合、ステップＳ４７に戻って、ステップＳ４７からのステップを繰り返す。
ステップＳ５０で、早戻し再生速度が設定値より１段遅い早戻し再生速度に下げられて、光ディスクに記録された映像音声データが早戻し再生され、ステップＳ５１に進む。
ステップＳ５１で、映像音声データの早戻し再生の終了が指令されたか否かが判断され、映像音声データの早戻し再生の終了が指令された場合、ステップＳ５２に進んで処理を終了し、映像音声データの早戻し再生の終了が指令されていない場合、ステップＳ４３に戻って、ステップＳ４３からのステップを繰り返す。
以上、本発明を実施するための最良の形態について詳述したが、本発明はこれに限定されるものではなく、当業者の通常の知識の範囲内でその変形や改良が可能であることはいうまでもない。例えば、光ディスクに記録された映像音声データを早送り再生、早戻し再生することを説明したが、本発明は、ハードディスク等の記録媒体に記録された映像音声データの早送り再生、早戻し再生する装置にも適用することができる。
【図面の簡単な説明】
【０００７】
【図１】本発明の一実施例の再生装置の構成を示すブロック図である。
【図２】本発明の一実施例の再生装置のリモコン装置を示す説明図である。
【図３】本発明の一実施例の再生装置の早送り再生／早戻し再生の再生速度の設定画面の表示例を示す図である。
【図４】本発明の一実施例の再生装置の早送り／早戻し再生速度の設定動作を示すフローチャートである。
【図５】本発明の一実施例の再生装置の早送り再生動作を示すフローチャートである。
【図６】本発明の一実施例の再生装置の早戻し再生動作を示すフローチャートである。
【符号の説明】
【０００８】
１  再生装置
２  光ディスク
３  光ピックアップ
４  スピンドルモータ
５  スレッドモータ
６  サーボ回路
７  ＲＦ増幅回路
８  信号処理回路
９  ＯＳＤ回路
１０  マイコン
１１  フラッシュＲＯＭ
１２  リモコン受信部
２０  リモコン装置
２０ａ  メニュキー
２０ｂ  カーソルキー
２０ｃ  決定キー
２０ｄ  数字キー
２０ｅ  再生キー
２０ｆ  早送り再生キー
２０ｇ  早戻し再生キー
３０  モニタ装置
３０ａ  画面
【図１】
2007123965.tif 000003
【図２】
2007123965.tif 000004
【図３】
2007123965.tif 000005
【図４】
2007123965.tif 000006
【図５】
2007123965.tif 000007
【図６】
2007123965.tif 000008